(57)【要約】【課題】携帯通信端末において、設定項目毎のキー操作なしに、複数項目のデータ内容の試行を可能にする技術の提供。【解決手段】試行指示に従い、設定された複数項目のデータを、定められた順序で順次自動的に試行する構成とする。【選択図】  図１
2004336535.tif 000002
【特許請求の範囲】
【請求項１】
動作パターンのデータを項目毎に設定可能な携帯通信端末において、
設定された項目のデータの試行を指示する指示手段と、
上記指示手段により試行指示がされたとき、設定された複数項目のデータを、定められた順序で順次自動的に試行する試行手段と、
を備え、実行に先立ち上記データの試行を可能としたことを特徴とする携帯通信端末。
【請求項２】
動作パターンのデータを項目毎に設定可能な携帯通信端末において、
設定された項目のデータの試行を指示する指示手段と、
設定された項目のうちから一部のものを選択する選択手段と、
上記選択した項目のデータを、予め定められた順序で順次自動的に試行する試行手段と、
を備え、実行に先立ち上記データの試行を可能としたことを特徴とする携帯通信端末。
【請求項３】
上記試行手段は、上記設定された項目に属する全てのデータを試行する構成である請求項１に記載の携帯通信端末。
【請求項４】
上記設定される項目のデータは、画像、音、振動のうちのいずれかのデータを含んでいる請求項２に記載の携帯通信端末。
【請求項５】
設定した動作パターンのデータを試行する携帯通信端末の試行制御用プログラムであって、
コンピュータに、
選択された試行項目を取得する手順と、
予め保存されていた機能設定情報を記憶手段から読み出す手順と、
処理の中断を制御するための中断フラグの設定を行う手順と、
表示試行要求の有無、音試行要求の有無、振動試行要求の有無のいずれかを判定する手順と、
上記判定結果に基づき、上記読み出した機能設定情報の表示試行、音試行、振動試行のいずれかの試行処理を行うとともに、該試行処理中に中断が指示されたか否かの判定を行う手順と、
上記中断指示の判定結果に基づき、表示試行、音試行、振動試行のいずれかの試行処理を続行後完了させるかまたは中断して終了させる手順と、
を実行させることを特徴とする試行制御用プログラム。
【発明の詳細な説明】
【０００１】
【発明の属する技術分野】
本発明は、動作パターンを項目毎に設定可能な携帯通信端末に関する。
【０００２】
【従来の技術】
従来、例えば、携帯通信端末としての携帯電話機では、基本機能に加え、留守番電話などの電話サービス、電子メール機能、オーディオビジュアル情報の入力、通信、出力などの機能が搭載され、今後も一層の多機能化が予想される。これら多くの機能は、それぞれいくつかの動作パターンの項目（メニュー）の中からユーザが好みのものを選択したり、新たな入力操作により新規設定を行ったりして、該選択または該設定した項目のデータ内容を試行する場合は、項目毎のキー操作により該試行動作を行っている。
【０００３】
また、本発明に関連する従来技術で特許文献に記載されたものとしては、特開２００２−１８５５９９号公報（特許文献１）や、特開平１１−３４５３８２号公報（特許文献２）に記載されたものがある。特開２００２−１８５５９９号公報には、ユーザのキー操作の負担を軽減すべく、自動スクロールキーのキー操作により機能メニューを順次表示する自動スクロールを開始し、スクロール停止キーのキー操作によりスクロールを停止し、決定キーのキー操作により、機能決定とより詳細なメニューの自動スクロールが開始され、スクロール停止キーのキー操作によりスクロールが停止し、決定キーのキー操作により機能の決定を完了する構成が記載されている。また、特開平１１−３４５３８２号公報には、設定ミスの有無を確認するために、制御装置の電源投入時に、設定内容を予め記録された音声で報知する技術が記載されている。
【０００４】
【特許文献１】
特開２００２−１８５５９９号公報
【特許文献２】
特開平１１−３４５３８２号公報
【０００５】
【発明が解決しようとする課題】
上記従来技術では、データの試行を行う場合、設定した項目毎のキー操作が必要であったり、設定されているデータについて例えば文字や音により表現されるため、該データ自体の内容としての画像や音による直接的確認が不可能であったりする。例えば、着信音の設定として曲名が表示されたとしても、メロディがアレンジされている場合なども多いため、その曲名のデータを試行的に表現してみないとどのようなデータ内容なのかわからない。また、携帯端末装置が携帯電話機である場合、表示画面の大きさの制限より表示できる行数は一般に１０行程度である。そのため、一覧表示を行っても１画面に表示できる文字数に限りがあり、操作者が理解できるような表現が困難である。また、複数の画面にまたがって画面切替えが発生し、一覧表示の意味を成さない
本発明の課題点は、上記従来技術の状況に鑑み、設定した項目毎のキー操作を行わないでも、複数項目のデータ内容を確認できるようにすることである。
本発明の目的は、かかる課題点を解決できる技術の提供にある。
【０００６】
【課題を解決するための手段】
上記課題点を解決するために、本発明では、携帯通信端末を、基本的に、試行指示がされたとき、設定された複数項目のデータを、定められた順序で順次自動的に試行する構成とする。
具体的には、携帯通信端末として、
（１）設定された項目のデータの試行を指示する指示手段（該当実施形態：符号２０）と、該指示手段により試行指示がされたとき、設定された複数項目のデータを、定められた順序で順次自動的に試行する試行手段（該当実施形態：符号６６）とを備え、上記データを実行に先立ち試行可能な構成とする。
（２）設定された項目のデータの試行を指示する指示手段（該当実施形態：符号２０）と、設定された項目のうちから一部のものを選択する選択手段（該当実施形態：符号６５）と、該選択した項目のデータを、予め定められた順序で順次自動的に試行する試行手段（該当実施形態：符号６６）とを備え、上記データを実行に先立ち試行可能な構成とする。
また、携帯通信端末の動作パターンデータの試行制御用プログラムとして、
（３）コンピュータに、選択された試行項目を取得する手順と、予め保存されていた機能設定情報を記憶手段から読み出す手順と、処理の中断を制御するための中断フラグの設定を行う手順と、表示試行要求の有無、音試行要求の有無、振動試行要求の有無のいずれかを判定する手順と、上記判定結果に基づき、上記読み出した機能設定情報の表示試行、音試行、振動試行のいずれかの試行処理を行うとともに、該試行処理中に中断が指示されたか否かの判定を行う手順と、上記中断指示の判定結果に基づき、表示試行、音試行、振動試行のいずれかの試行処理を続行後完了させるかまたは中断して終了させる手順とを実行させる。
【０００７】
【発明の実施の形態】
以下、本発明の実施形態につき、図面を用いて説明する。実施形態では、携帯通信端末として携帯電話機の場合につき説明する。
図１は、本発明の携帯通信端末の一実施形態としての携帯電話機の基本ブロック図である。
図１において、１０は、文字や図形等を表示する液晶表示装置等の表示装置、２０は、データの選択、設定等の指示を入力するキースイッチ等の指示手段としての入力装置、３０は着信音等を出力する音声出力装置、４０は端末を振動させる振動出力装置、５０は、機能設定情報５１、試行項目設定情報５２、画像／音／振動情報５３等を格納記憶しておく記憶装置、６０は、入力装置２０の入力に基づき各種の選択、設定、試行、制御等の処理を行い、記憶装置５０への記憶や、表示装置１０、音声出力装置３０、振動出力装置４０の制御を行う制御処理装置である。
【０００８】
制御処理装置６０は、マイクロコンピュータ等によって構成され、情報処理プログラムによって各処理を行う。該制御処理装置６０は、入力制御を行う入力処理部６１、表示制御を行う表示処理部６２、音声出力制御を行う音声処理部６３、振動出力制御を行う振動処理部６４、画像、音、振動パターン等のデータの選択・設定を行う機能設定手段６５、該機能設定手段６５により設定された実データ全てを順次試行する試行手段としての設定データ試行手段６６、試行項目を設定する試行項目設定手段６７を備える。図中の実線矢印はデータの流れを示し、点線矢印は制御処理の流れを示す。
【０００９】
図２は、図１の構成における入力装置２０の構成を示す。
図２において、２０１は、数字キーと記号キーより構成されるダイヤルキー、２０２は、上下左右の４種類のキーより構成される方向キー、２０３は機能キーである。機能キー２０３は表示装置１０の画面最下行に表示される機能に対応し、機能操作過程の各状況においてキーの機能が変化するようになっている。本実施形態においては、図５に示すように、表示装置１０に表示される３つの機能に対応した３個の機能キーを具備し、左機能キーＳ１に５０１、中央機能キーＳ２に５０２、右機能キーＳ３に５０３が対応している。本実施形態では、待受け画面から選択できる図５に示す各種機能設定画面において、図６の試行設定画面の設定データ試行を選択することで、設定された項目のデータの試行が指示され、図３に示す設定データ試行手段が作動され、例えば図１０のように設定されている実データを一定間隔で試行し、明示する。また、図６の試行設定画面において試行項目設定を選択することで、図７の試行項目選択画面の試行項目を、図９の試行項目設定手段により選択することができる。各項目の詳細設定は、図５の各種機能設定手段を選択することにより、図８の手順で設定する。また、図５の各種機能設定画面で「全データ試行」の項目５０６を設け、これを実行させることにより、設定情報を含め端末に格納される全データの試行を行う。
【００１０】
以下、試行処理につき述べる。
図３は、設定データ試行手段６６の処理を示すフローチャートである。
図３において、
（１）図６に示す画面で選択された試行項目を取得する（ステップＳ３０１）。
（２）記憶装置５０に格納される機能設定情報を読み出す（ステップＳ３０２）。
（３）処理の中断を制御するための中断フラグに初期値「ＯＦＦ」を設定する（ステップＳ３０３）。なお、中断フラグは、制御処理装置６０に設定されたレジスタであり、キー入力等により任意のタイミングで設定される。
（４）表示試行の要求有無の判定を行う（ステップＳ３０４）。
（５）判定の結果、要求ありの場合（ステップＳ３０４−Ｙｅｓ）は、表示設定情報に関する試行処理を行い（ステップＳ３０５）、要求なしの場合（ステップＳ３０４−Ｎｏ）は、次の音設定情報の試行処理（ステップＳ３０７）に移行する。
（６）ステップＳ３０５における表示設定情報の試行処理中に中断が指示された（中断フラグＯＮ）か否かの判定を行い（ステップＳ３０６）、中断指示あり（中断フラグＯＮ）の場合（ステップＳ３０６−Ｙｅｓ）は、該表示試行処理を中断して試行を終了する。
（７）中断指示がない（中断フラグＯＮでない）場合（ステップＳ３０６−Ｎｏ）は、該表示試行処理を続行して該表示試行処理を完了し、次の音試行処理の要求有無の判定を行う（ステップＳ３０７）。
（８）判定の結果、要求ありの場合（ステップＳ３０７−Ｙｅｓ）は、音設定情報に関する試行処理を行い（ステップＳ３０８）、要求なしの場合（ステップＳ３０７−Ｎｏ）は、次の振動設定情報の試行処理（ステップＳ３１０）に移行する。
（９）ステップＳ３０８における音設定情報の試行処理中に中断が指示された（中断フラグＯＮ）か否かの判定を行い（ステップＳ３０９）、中断指示あり（中断フラグＯＮ）の場合（ステップＳ３０９−Ｙｅｓ）は、該音試行処理を中断して試行を終了する。
（１０）中断指示がない（中断フラグＯＮでない）場合（ステップＳ３０９−Ｎｏ）は、該音試行処理を続行して該音試行処理を完了し、次の振動試行処理の要求有無の判定を行う（ステップＳ３１０）。
（１１）判定の結果、要求ありの場合（ステップＳ３１０−Ｙｅｓ）は、振動設定情報に関する試行処理を行い（ステップＳ３１１）、振動試行処理を完了させる。要求なしの場合（ステップＳ３１０−Ｎｏ）は、振動試行処理を行わずにその時点で処理を終了する。
【００１１】
図４は、設定データ試行手段６６における表示設定情報試行処理３０５を示すフローチャートである。
図４において、
（１）先ず、試行処理の順番を管理するための試行番号変数に初期値「０」を設定する（ステップＳ４０１）。
（２）次に、中断指示が入力された（中断フラグＯＮ）か否か、あるいは、試行が完了した（試行番号＞最終試行番号）か否かの判定を行う（ステップＳ４０２）。
（３）判定の結果、中断指示が入力されない（中断フラグＯＮでない）、または、試行が完了していない（試行番号＜最終試行番号）場合は、以下の試行処理を繰り返し行う。
（４）試行番号に該当するデータを記憶装置５０より読み出し、表示装置１０に表示を行う（ステップＳ４０３）。試行番号は、試行可能な機能に対応して予め設定された番号である。
（５）試行時間間隔を制御するためのタイマをセットする（ステッＳプ４０４）。
（６）中断キー検出のためにキー入力待ち状態とする（ステップＳ４０５）。
（７）キー入力の判定を行う（ステップ４０６）。
（８）判定の結果、キー入力ありの場合（ステップＳ４０６−Ｙｅｓ）は、入力キーが中断キーか否かの判定を行う（ステップＳ４０７）。
（９）判定の結果、入力キーが中断キーの場合（ステップＳ４０７−Ｙｅｓ）は、中断指示を行う中断フラグを「ＯＮ」に設定し（ステップＳ４０８）、ステップＳ４０２に戻り、中断フラグが「ＯＮ」であることを検出して、処理を終了する。
（１０）ステップＳ４０７の判定の結果、中断キー以外のキー入力の場合（ステップＳ４０７−Ｎｏ）、または、キー入力がない場合（ステップＳ４０６−Ｎｏ）は、設定したタイマ時間経過を意味するタイマイベントが入ったか否かの判定を行う（ステップＳ４０９）。
（１１）判定の結果、タイマイベントが成立した場合（ステップＳ４０９−Ｙｅｓ）は、該当試行処理完了となり試行番号をカウントアップし（ステップＳ４１０）、次の試行処理へ移行する（ステップＳ４０２）。
（１２）ステップＳ４０９の判定の結果、タイマイベントが成立しない場合（ステップＳ４０９−Ｎｏ）は、キー入力待ち（ステップＳ４０５）に戻る。
【００１２】
図５は、画像、音、振動パターン等のデータの設定、及び、設定データ試行手段を実行する各種機能設定画面を例示したものである。該設定画面は、カーソル５０４をカーソル移動キーの上下移動により移動させ、中央機能キー５０２の「実行」を選択することでカーソル位置の項目を実行する。左機能キー５０１の「戻る」はカーソル位置に関係なく処理を終了する。また、右機能キー５０３の「サブメニュー」は本画面でのサブ機能の一覧表示を行う。該サブ機能の一覧表示の説明は省く。
【００１３】
図６は、画面実行後に表示され、設定データ試行手段及び、試行項目設定手段を選択する画面を例示したものである。該画面は、カーソルをカーソル移動キーの移動により移動させ、カーソル位置の項目を中央機能キーの「実行」を指定することで選択項目（機能）を実行する。また、左機能キーの「戻る」を指定した場合は、処理を終了し上記図５の機能選択画面に戻る。
【００１４】
図７は、図６に示す試行項目設定手段の項目選択画面を例示したものである。該画面は、カーソルをカーソル移動キーの上下移動により移動させ、カーソル位置の項目を右機能キーの「選択」で指定し、中央機能キーの「実行」を指定することで選択項目を確定させる。また、左機能キーの「戻る」を指定した場合は、処理を終了し上記図６の画面に戻る。
【００１５】
図８は、画像等のデータの選択・設定を行う機能設定手段６５における画面表示設定の設定・確認操作を例示したものである。画面表示設定一覧画面８０１は、上記図５に示す各種機能設定の「画面表示設定」５０５を選択することで表示される。画面表示設定一覧の選択項目「待受け画面設定」、「着信アニメーション」、「コントラスト」等の１つを選択すると、選択された対象データ一覧・選択に対応した画面８０２、８０４、８０６の１つが表示され、カーソルキー及び設定キーによりデータの選択・設定を行う。また、上記対象データ一覧・選択において、設定データを文字情報で表現している場合は、画面８０３、８０５に示す再生キーを選択することによりプレビュー（試行）が行われる。
【００１６】
図９は、試行項目設定手段６７の処理を示すフローチャートである。
図９において、
（１）上記図７に示す項目選択画面の表示、試行項目ワーク値の初期化等の初期処理を行い（ステップＳ９０１）、キー入力待ち状態に移行する（ステップＳ９０２）。
（２）ステップＳ９０２においてキーが入力されると、入力キーが左機能キーの「戻る」か否かの判定を行い（ステップＳ９０３）、「戻る」の場合は処理を終了する。
（３）判定の結果、入力キーが「戻る」以外の場合は、上下カーソルキーか否かの判定を行う（ステップＳ９０４）。
（４）上下カーソルキーのいずれかの場合、位置情報、カーソル表示等のカーソル位置更新処理を行い（ステップＳ９０５）、再度キー入力待ち状態に遷移する。
（５）ステップＳ９０４の判定の結果、上下カーソルキー以外の場合は、入力キーが右機能キーの「選択」か否かの判定を行う（ステップＳ９０６）。
（６）判定の結果、「選択」の場合は、試行項目ワーク値を更新し（ステップＳ９０７）、再度、キー入力待ち状態（ステップＳ９０２）に遷移する。
（７）「選択」以外の場合は、入力キーが中央機能キーの「実行」か否かの判定を行い（Ｓステップ９０８）、「実行」の場合は試行項目ワーク値を試行項目値として確定する（ステップＳ９０９）。
（８）Ｓステップ９０８の判定の結果、「実行」以外の場合は、本処理での有効キー以外の入力となるため、再度、キー入力待ち状態（ステップＳ９０２）に遷移する。
【００１７】
図１０は、表示情報に関する試行処理の動作を例示したものである。
表示情報に関する試行処理では、表示情報に設定される条件に従い、待受け画像データ表示１００１、接続アニメーション表示１００２、コントラスト画面表示１００３等全ての表示情報の試行を順次規定時間の範囲で行い、実データを明示する。音、振動情報に関しても同様で、それぞれの設定条件を試行する。上記試行処理を行わずに設定データを全て確認するためには、図８の設定・確認操作（再生手順）を逐一行う必要がある。図８に示した各機能の設定は、端末が生産されるときに初期設定されており、その設定でユーザが満足すれば再設定は必要ない。しかし、最初にユーザが、設定を確認し、必要に応じて新たに設定しようとする場合、取扱い方法を理解するために長い時間を要することが多い。それを改善するためには、ユーザに端末を渡す時点では、試行項目設定を図７における全選択をしておき、電源をＯＮにした時に図１１に示す設定内容確認要否判定画面を表示し、ソフトキーＳ２の「実行」が選択された場合は、図３に示す試行を実行することにより、ユーザは試行可能な機能の初期設定状態を直ちに知ることができ、設定を素早く完了することができる。また、図５の各種機能設定画面に「全データ試行」５０６を設けることで、設定情報を含めた端末に格納される全データの試行を行うことが可能となる。該全データ試行処理は、図３に示す処理において試行条件判定を行わず、無条件に端末内の全データを試行するものであり、図３の処理手段を備える場合は容易に実現可能である。
【００１８】
図１２は、全データ試行中にユーザが確認したデータを即時設定する場合の説明図である。図１２に示すように、全データ試行中の画面に、試行中のデータを設定値として処理する「設定」キーを割当てることで、全データ試行中にユーザが確認したデータを即時設定することが可能となる。図３、図４の処理に示す「中断」キーと同様にキー入力イベント判定で検出する。
【００１９】
図１３は全データ試行中の処理の流れを例示するものである。
図１３において、
（１）端末の基本状態である待受け画面（ステップＳ１３０１）から、図５に示す各種機能設定の全データ試行５０６を実行することで起動される（ステップＳ１３０２）。
（２）処理は端末に格納される全てのデータを画像データの中の待ち受け画面Ａを先頭に試行する（ステップＳ１３０３）。
（３）以下、設定情報一覧の順に一定間隔で試行する（ステップＳ１３０４からステップＳ１３１１）。データ試行中は「設定」、「中断」キーを常に受付け、「設定」が入力された場合は、試行中のデータを設定値として格納し、次の設定項目に進む。図１３には、ステップＳ１３０４についてのみ「設定」、「中断」処理を示している。
（４）全データにつき試行が完了すると、処理を抜け、待受け画面（ステップＳ１３０１）に戻る。設定処理（ステップＳ１３１２）は、図８の説明における設定ステップ（画面８０３、画面８０５等）に相当する。「中断」が入力された場合は、処理を抜け、待受け画面（ステップＳ１３０１）に戻る。これにより、ユーザは全ての実データを容易に確認することが可能となる。さらに使用したいデータを発見した時点で設定することも可能となる。
【００２０】
図１４、図１５は、試行途中にマークを付け、該マークが付いた機能のみ再試行を行う場合の説明図である。図１４は再試行処理動作のフローチャート、図１５は該試行処理動作中における確認画面の例である。
図１４において、
（１）画像データの試行（ステップＳ１４０１）途中において、例えば、待受け画面Ｂと着信アニメーションＣにマークを付ける（ステップＳ１４０２）。
（２）音データの試行（ステップＳ１４０３）途中において、例えば、音データＡと音データＤにマークを付ける（ステップＳ１４０４）。
（３）振動データの試行（ステップＳ１４０５）途中において、例えば、振動データＧにマークを付ける（ステップＳ１４０６）。
（４）上記マークを付けた待受け画面Ｂ、着信アニメーションＣ、音データＡ、音データＤ及び振動データＧについての再試行の要否の確認を行う（ステップＳ１４０７）。
（５）再試行「要」が選択された場合は、上記マークが付いた上記各データにつき再試行を行う（ステップＳ１４０８）。
（６）再試行「否」が選択された場合は、次の処理に移行する。
【００２１】
図１５は、上記図１４のステップＳ１４０７における確認画面の例である。
「実行」により、再試行「要」が選択され、「中断」により、再試行「否」が選択される。
【００２２】
上記実施形態によれば、携帯電話機において、設定されたデータ全てを順次試行して明示することができるようになる。また、設定項目に属するデータのみの試行も可能となる。
【００２３】
なお、上記実施形態では、携帯通信端末として、携帯電話機の場合につき述べたが、他の携帯通信端末の場合も同様である。
【００２４】
【発明の効果】
本発明によれば、設定した項目毎のキー操作を行わないでも、複数項目のデータ内容を確認可能な携帯通信端末を提供することができる。
【図面の簡単な説明】
【図１】本発明の一実施形態としての携帯電話機の基本構成を示す図である。
【図２】図１の構成における入力装置の構成を示す図である。
【図３】図１の構成における設定データ試行手段の処理手順を示す図である。
【図４】図１の構成における設定データ試行手段の表示設定情報試行処理手順を示す図である。
【図５】図１の構成における各種機能設定画面を示す図である。
【図６】図１の構成における動作条件試行機能選択画面を示す図である。
【図７】図１の構成における項目選択画面を示す図である。
【図８】図１の構成における画面表示設定の設定・確認操作を示す図である。
【図９】図１の構成における試行項目設定手段の処理手順を示す図である。
【図１０】図１の構成における表示情報試行処理動作の説明図である。
【図１１】図１の構成における初回立上げ時の画面を示す図である。
【図１２】図１の構成における実データ試行中の画面を示す図である。
【図１３】図１の構成における全データ試行中の処理を示す図である。
【図１４】図１の構成における再試行処理動作の手順例を示す図である。
【図１５】再試行処理動作における確認画面例を示す図である。
【符号の説明】
１０…表示装置、  ２０…入力装置、  ３０…音声出力装置、  ４０…振動出力装置、  ５０…記憶装置、  ６０…制御処理装置、  ６１…入力処理部、  ６２…表示処理部、  ６３…音声処理部、  ６４…振動処理部、  ６５…機能設定手段、  ６６…設定データ試行手段、  ６７…試行項目設定手段。
【図１】
2004336535.tif 000003
【図２】
2004336535.tif 000004
【図３】
2004336535.tif 000005
【図４】
2004336535.tif 000006
【図５】
2004336535.tif 000007
【図６】
2004336535.tif 000008
【図７】
2004336535.tif 000009
【図８】
2004336535.tif 000010
【図９】
2004336535.tif 000011
【図１０】
2004336535.tif 000012
【図１１】
2004336535.tif 000013
【図１２】
2004336535.tif 000014
【図１３】
2004336535.tif 000015
【図１４】
2004336535.tif 000016
【図１５】
2004336535.tif 000017